(57)【要約】【課題】ＳＩＭの装着が簡単にでき、安定した非接触交信をすることができるＳＩＭ用リーダライタを提供する。【解決手段】本発明のＳＩＭ用リーダライタ１は、ＳＩＭ２を挿抜可能に装着するＳＩＭ用リーダライタであって、ホルダー部１０の一端側に外部機器用コネクタ部３を有し、他端側にＳＩＭ挿抜口１５を有する形態において、▲１▼ＳＩＭ挿抜口前部に、ＳＩＭを挿入する際にＳＩＭを一時的に載置でき、挿抜口下縁面と同一平面を形成する段部５を設けたこと、▲２▼ＳＩＭを外部の非接触交信装置に載置した際に、ＳＩＭ用リーダライタ１を平面状態で当該非接触交信装置に接触させることができるように、リーダライタの下面に携帯用チェーン類４を納められる凹溝６ｍや切り欠き、あるいは屈曲または斜行する取り付け穴１４を形成したことを特徴とする。【選択図】    図１
2004192177.tif 000002
【特許請求の範囲】
【請求項１】
ＳＩＭを挿抜可能に装着するＳＩＭ用リーダライタであって、ホルダー部の一端側に外部機器用コネクタ部を有し、他端側にＳＩＭ挿抜口を有する形態において、ＳＩＭ挿抜口前部に、ＳＩＭを挿入する際にＳＩＭを一時的に載置でき、挿抜口下側面と同一平面を形成する段部を設けたことを特徴とするＳＩＭ用リーダライタ。
【請求項２】
ＳＩＭを挿抜可能に装着するＳＩＭ用リーダライタであって、ホルダー部の一端側に外部機器用コネクタ部を有し、他端側にＳＩＭ挿抜口と携帯用チェーン類を通す取り付け穴を有する形態において、ＳＩＭ用リーダライタを平面状態で外部の非接触交信装置に接触させることができるように、リーダライタの底面に当該携帯用チェーン類を納められる幅と深さの凹溝または切り欠きを形成したことを特徴とするＳＩＭ用リーダライタ。
【請求項３】
ＳＩＭを挿抜可能に装着するＳＩＭ用リーダライタであって、ホルダー部の一端側に外部機器用コネクタ部を有し、他端側にＳＩＭ挿抜口と携帯用チェーン類を通す取り付け穴を有する形態において、ＳＩＭ用リーダライタを平面状態で外部の非接触交信装置に接触させることができるように、前記取り付け穴をホルダー部表面からホルダー部側面に抜けるような屈曲または斜行した穴としたことを特徴とするＳＩＭ用リーダライタ。
【請求項４】
ホルダー部の外形平面形状が略矩形状であることを特徴とする請求項１ないし請求項３のいずれか１の項に記載のＳＩＭ用リーダライタ。
【請求項５】
外部機器用コネクタ部がＵＳＢコネクタ部であってパーソナルコンピュータに接続するものであることを特徴とする請求項１ないし請求項３のいずれか１の項に記載のＳＩＭ用リーダライタ。
【発明の詳細な説明】
【０００１】
【発明の属する技術分野】
本発明は、ＳＩＭやＵＩＭカードを着脱可能に装着し、パーソナルコンピュータ（以下、「ＰＣ」と表示する場合もある。）等の外部機器にＵＳＢコネクタ等により接続できると共に、それ自体が必要により非接触通信用アンテナを有し、リーダライタとして機能できる通信装置またはアダプタに関する。
したがって、本発明の属する技術分野は、このようなリーダライタの製造や利用の分野に関する。
【０００２】
【従来技術】
近年、携帯電話機には小型（親指サイズ）のＳＩＭやＵＩＭ、ＵＳＩＭと呼ばれるセキュリティＩＤモジュールが組み込まれてきている。日本でも最新の携帯電話機には組み込まれて既に実用化されている。
ＵＩＭ（Ｕｓｅｒ  Ｉｄｅｎｔｉｔｙ  Ｍｏｄｕｌｅ）  は、携帯電話会社が発行する契約者情報を記録した小型のＩＣカードであって、本来は、携帯電話機に組み込んで利用者の識別に使用する。
これは同様の機能を持つＳＩＭ（Ｓｕｂｓｃｒｉｂｅｒ  Ｉｄｅｎｔｉｔｙ  Ｍｏｄｕｌｅ）から機能拡張が行われたもので、契約者情報以外に電話帳などのプライベート情報やクレジット決済用の個人識別情報などを暗号化して登録することが可能となっている。
【０００３】
一方従来から、射出成型等で樹脂成型するキーホルダー型のＩＤモジュールが有るが、このものはＩＣカードを一体に組み込んで成型するので、従来のＩＣカードのような方式で製造したり発行処理ができない問題があった。
そこで、本願出願人は、先に非接触ＩＤ部分を携帯電話機等に利用するＳＩＭ形状とし、ＳＩＭ自体に接触および非接触交信のデュアルインターフェイスを備えさせると共に、ＳＩＭ自体あるいはＳＩＭを装着するＳＩＭホルダーにアンテナを形成することで、非接触ＩＤモジュールとして利用できることを着想し、特許文献１の出願を行っている。
【０００４】
また、最近では、ＩＳＯ７８１６−２、ＩＳＯ７８１６−３で規定される接触型と、提案中のＵＳＢ（ユニバーサル・シリアル・バス）とのデュアルインターフェースＩＣカードが開発されている（特許文献２）。
ＵＳＢインターフェースを持つＩＣカードは、パソコンなどのＵＳＢ対応の機器との接続を容易にし、社員証カードなどでネットワークアクセス用ＩＤカードとして注目されはじめている。
【０００５】
またさらに、近年、ｅ−Ｔｏｋｅｎと呼ばれるＩＣチップを内蔵したネットワークアクセス用ＩＤモジュールが使用されている。ＵＳＢインターフェースを持ちＰＣのＵＳＢコネクタに差し込みプラグアンドプレイ、すなわち煩わしい操作を必要とせずに、外部接続機器をＰＣに認識させる機能を持ち、ネットワークセキュリティを確保したシステムに使用されている。
ドングルと呼ばれることもあり、携帯電話機のストラップやキーホルダーとともに持ち歩ける利便性がある。
このような利便性に着目して、本願出願人は、ＵＳＢと非接触型、およびＩＳＯで規定される接触型の３種のインターフェースを備えるＩＣカードホルダーについて提案している（特許文献３）。
【０００６】
図５は、上記先行出願（特許文献３）に係るＳＩＭホルダーを示す図であって、図５（Ａ）は表面側斜視図、図５（Ｂ）は裏面側斜視図である。
図５（Ａ）のように、ＳＩＭホルダー１は、ＳＩＭ２をＳＩＭ挿抜口１５から挿入して着脱可能に収納することができる。ＳＩＭホルダー１内には端子板１２とアンテナコイル１１が設けられている。
アンテナコイル１１は端子板１２を介してＳＩＭ２のＩＣチップの非接触インターフェイス部に接続するようにされている。これにより、ＳＩＭ２はアンテナコイル１１により外部機器との非接触交信が可能となる。
【０００７】
多くの場合、ＳＩＭホルダー１は、ケースを上下に分離する上蓋部１８と下側ケース部１９をプラスチック材料で成型してから、端子板１２やそれを実装するプリント基板を装着し、係合ピンと係合穴により上蓋部１８と下側ケース部１９を組み合わせて一体にすることが行われる。
アンテナコイル１１は、この上蓋部１８や下側ケース部１９の内周面に形成したり、実装するプリント基板の外周に形成することができる。
また、キーホルダー用途の目的を達成することと、ＳＩＭ２の不用意な脱落を防止するために、携帯用チェーン類を通す取り付け穴１４が設けられている。
携帯用チェーン類には、図１に図示するような鎖紐４や布や皮製の紐類やストラップ等がある。
【０００８】
ＳＩＭホルダー１の裏面側は、図５（Ｂ）のようになっている。
端子板１２の背面には１０個のコンタクトピン１３が突出していて、ＳＩＭ２の接触端子板２２との良好な接触状態が確保される。ＳＩＭ２の接触端子板２２とコンタクトピン１３が各１０個あるのは、従来の８端子の他にＵＳＢ用の端子を有するからであるが、ＳＩＭホルダー内にＵＳＢ変換ＩＣを有する場合は８端子であってもよい。
下側ケース部１９は透明なプラスチック樹脂で成型するのが好ましく、透明であることにより挿入したＳＩＭ２の顔写真加工等により利用者を肉眼で識別することができる。
【０００９】
【特許文献１】特願２００２−２８４８２５号
【特許文献２】特表２００２−５２５７２０号公報
【特許文献３】特願２００２−３０００７２号
【００１０】
なお、ＳＩＭホルダーは、ＰＣのＵＳＢポートに接続してＩＣカードのデータをＰＣと交信する機能を有するので、超小型ＩＣカード用リーダライタの働きを行うことになる。従って、以降および特許請求の範囲においては、ＳＩＭホルダーに換えて、「ＳＩＭ用リーダライタ」という表現をしている。
【００１１】
【発明が解決しようとする課題】
しかし、上述のようなＳＩＭ用リーダライタにＳＩＭを挿入する際は、歩行中や乗り物内で行うことも多く手元が安定しない。薄いＳＩＭを小さなＳＩＭ挿抜口に確実に入れるのは、やや困難な作業であり、ＳＩＭを落としてしまったり挿入に手間取る問題がある。
また、前記のようにＳＩＭ用リーダライタの挿抜口前には携帯用チェーン類を通す取り付け穴があって、ＳＩＭ挿入後は当該チェーン類を通してＳＩＭの脱落を防止している。このＳＩＭ用リーダライタを外部機器に接触させて非接触で読み取りする場合は、外部機器との間を密着することが好ましいが、携帯用チェーン類があるため、密着が妨げられ不安定となる問題がある。
そこで、本願発明者等はＳＩＭ用リーダライタの外形形状を改良することにより、上記課題を解決できることを見出し本発明の完成に至ったものである。
【００１２】
【問題を解決するための手段】
上記課題を解決するための本発明の要旨の第１は、ＳＩＭを挿抜可能に装着するＳＩＭ用リーダライタであって、ホルダー部の一端側に外部機器用コネクタ部を有し、他端側にＳＩＭ挿抜口を有する形態において、ＳＩＭ挿抜口前部に、ＳＩＭを挿入する際にＳＩＭを一時的に載置でき、挿抜口下側面と同一平面を形成する段部を設けたことを特徴とするＳＩＭ用リーダライタ、にある。
【００１３】
上記課題を解決するための本発明の要旨の第２は、ＳＩＭを挿抜可能に装着するＳＩＭ用リーダライタであって、ホルダー部の一端側に外部機器用コネクタ部を有し、他端側にＳＩＭ挿抜口と携帯用チェーン類を通す取り付け穴を有する形態において、ＳＩＭ用リーダライタを平面状態で外部の非接触交信装置に接触させることができるように、リーダライタの底面に当該携帯用チェーン類を納められる幅と深さの凹溝または切り欠きを形成したことを特徴とするＳＩＭ用リーダライタ、にある。
【００１４】
上記課題を解決するための本発明の要旨の第３は、ＳＩＭを挿抜可能に装着するＳＩＭ用リーダライタであって、ホルダー部の一端側に外部機器用コネクタ部を有し、他端側にＳＩＭ挿抜口と携帯用チェーン類を通す取り付け穴を有する形態において、ＳＩＭ用リーダライタを平面状態で外部の非接触交信装置に接触させることができるように、前記取り付け穴をホルダー部表面からホルダー部側面に抜けるような屈曲または斜行した穴としたことを特徴とするＳＩＭ用リーダライタ、にある。
【００１５】
【発明の実施の形態】
以下、本発明のＳＩＭ用リーダライタについて図面を参照して説明する。本発明のＳＩＭ用リーダライタの機能は前述した、図５に図示したものと同様であるので、以下は、本発明の構成に係る外形部分について説明する。
なお、上記図５では、ＳＩＭをＳＩＭホルダーに挿入した際に顔写真の見える側を裏面側、接触端子板の見える側を表面側と呼んでいるが、本願では、顔写真の見える側を表にして見ることが多いと考え、これを上面側としている。
本来、本発明のＳＩＭ用リーダライタ程度の厚みであれば、表裏どちらの面を外部機器装置に接触させても交信に支障がなく構わないのであるが、接触させる側を定めておけば無駄に考えることを無くすことができる。
【００１６】
図１は、本発明のＳＩＭ用リーダライタの例を示し、図１（Ａ）は、ＳＩＭ用リーダライタ１の上面側平面図、図１（Ｂ）は、同上面側平面図であるＳＩＭ用リーダライタ１からＳＩＭ２を抜き取った状態を示す図、図１（Ｃ）は、ＳＩＭ２の接触端子板側を示す図、図１（Ｄ）は、ＳＩＭ用リーダライタ１の背面側図、図１（Ｅ）は、図１（Ａ）におけるＡ−Ａ線断面図、図２は、本発明のＳＩＭ用リーダライタの他の実施形態を示す図、図３は、凹溝や切り欠き、屈曲または斜行した取り付け穴を形成した場合の効果を示す図、図４は、ＳＩＭ用リーダライタに使用するＳＩＭの例を示す図、である。
【００１７】
図１（Ａ）のように、ＳＩＭ用リーダライタ１はホルダー部１０がほぼ矩形状に近い平板状に形成されている。ＳＩＭ用リーダライタ１の上蓋部は、透明な樹脂で成型されることが多く、挿入してあるＳＩＭ２の顔写真加工７やネームプリント８が見えるようになっている。
なお、ホルダー部１０は図１（Ｅ）のように、上蓋部１８と下側ケース部１９からなる分であって、ＳＩＭ用リーダライタ１のコネクタ部を除いた部分を言うものとする。
【００１８】
コネクタ部３は、内部に回路を有する外面金属の平板部材であって、ＰＣ、携帯電話機、デジタルカメラ等のコネクタ部に差し込みする部分である。ＰＣのコネクタ部は現状では、ＵＳＢコネクタ部が多いので、以下、ＵＳＢコネクタ部と記載するが、携帯電話機やデジタルカメラ等にも接続可能なものである。
ホルダー部１０のＵＳＢコネクタ部３と反対側の他端には、Ｙで示す矢印の先端部分にＳＩＭ２を挿入するＳＩＭ挿抜口１５があって、その前部にはＳＩＭ挿抜口１５の下側縁（ＳＩＭを挿入する際にＳＩＭの接触端子板が接する側の縁）と同一平面からなる段部５が設けられている。
段部５の幅Ｈは、２ｍｍから１０ｍｍ程度もあれば十分である。段部５は水平にＳＩＭを挿入できるように補助する部分であって、この段部５が本発明のＳＩＭ用リーダライタの特徴の１である。
【００１９】
段部５に隣接して携帯用チェーン類４を通す取り付け穴１４が、ＳＩＭ用リーダライタ１の上蓋部と下側ケース部を貫通するように形成されている。当該取り付け穴１４は、多くの場合ホルダー部１０を上下に鉛直に貫通する穴として形成されるが、後述するように屈曲または斜行する穴であっても良い。
ＳＩＭ２をＳＩＭ挿抜口１５から挿入した後は、携帯用チェーン類４を通すことでＳＩＭ２と端子板の係合が万が一緩んだ場合でも、ＳＩＭ２が不用意に脱落しないようにできる。
逆にＳＩＭ２を抜き取る場合は、携帯用チェーン類４を除去すると共に、ＳＩＭ取り出し補助スリット１６にボールペンの先端等を差し込んで、ＳＩＭ２を軽く押圧するとＳＩＭ２が押し出されるようになっている。
【００２０】
図１（Ｂ）は、ＳＩＭを抜き取った状態であるが、ＳＩＭ２の接触端子板とコンタクトを取るための端子板１２が見える。端子板１２には、８個〜１０個のコンタクトピン１３が設けられていて、これによりＳＩＭ２の機能をリーダライタ内の回路に接続するようにされている。
ＳＩＭ用リーダライタ１の下側ケース部１９や回路基板には、ＳＩＭ用リーダライタ１のケース状ホルダー部１０の内周にほぼ沿うようにアンテナコイル１１が形成されていて、やはり当該コンタクトピン１３に接続している。アンテナコイル１１は外部機器との間で非接触交信を行うためのものである。
図１（Ｃ）は、抜き取ったＳＩＭ２の接触端子板２２側面を示している。端子の数は８端子または１０端子のものを使用するが、図１（Ｃ）では８端子となっている。切り欠き２３は、ＳＩＭを挿入する際に逆面を挿入しないようにするためのものである。
【００２１】
図１（Ｄ）は、ＳＩＭ用リーダライタの背面側を示す図であるが、携帯用チェーン類４は除去した状態を示している。背面側には下側ケース部１９が現われるが、ＳＩＭ内を透視する必要がないので不透明なプラスチックで成型されることが多い。
携帯用チェーン類取り付け穴１４に連通するように凹溝６ｍまたは切り欠きを掘削し、あるいは屈曲または斜行した取り付け穴を設けているのが、本発明のＳＩＭ用リーダライタの特徴の２である。
この凹溝６ｍまたは切り欠きは携帯用チェーン類４が通る程度の幅と深さ（通常は３〜４ｍｍ程度以上）にする。なお、図１（Ｄ）は、凹溝６ｍがＳＩＭ用リーダライタ１の長辺側に連通するように図示しているが、この方向はどの向きであっても良い。
【００２２】
図１（Ｅ）は、図１（Ａ）におけるＡ−Ａ線断面図である。段部５はＳＩＭ挿抜口１５の下面縁と同一平面になるように作られているので、ＳＩＭを挿入する際は、この段部に一時的に載置するか接触してあてがい、その後、ＳＩＭ挿抜口１５に向けて押し込めば簡単にＳＩＭを装着することができる。
【００２３】
次に図２を参照して、本発明のＳＩＭ用リーダライタの他の実施形態について説明する。
図２（Ａ）、図２（Ｂ）は、図１（Ｄ）における下側ケース部の凹溝を広く形成した例を示す。この場合は、凹溝というよりは切り欠き状なので、切り欠き６ｋとする。図２（Ａ）は、携帯用チェーン類取り付け穴１４から約９０度の角度でコーナー部に向かって下側ケース部に切り欠き６ｋを形成した例である。
図２（Ｂ）は、同じく１８０度に近い角度で、切り欠き６ｋを形成している。これらの場合は、切り欠き６ｋが大きい角度で形成されているので、凹溝の場合のように携帯用チェーン類を溝内に納めるような手間がかからない。
【００２４】
図２（Ｃ）以下は、ホルダー部の側面図である。図２（Ｃ）は、下側ケース部１９の少なくとも取り付け穴１４部分に底面に斜めの角度（４５度程度）で、切り欠き６ｋを設けた例、図２（Ｄ）は、同じく断面が曲面になるように切り欠き６ｋを設けた例である。以上の例は、請求項２記載の発明の実施形態になる。
図２（Ｅ）は、携帯用チェーン類取り付け穴１４を屈曲した形状にして取り付け穴の開口１４ｄがホルダー部の側面（または穴の一部が側面）になるようにし、かつ切り欠き６ｋを設けた例、図２（Ｆ）は、携帯用チェーン類取り付け穴１４を底面に対して斜行させ、かつ側面に開口１４ｄを形成した例である。
図２（Ｅ）の場合は、請求項２と請求項３記載の発明を併用した実施形態となり、図２（Ｆ）の場合は、請求項３記載の発明の実施形態となる。
【００２５】
図３は、凹溝や切り欠き、屈曲または斜行した取り付け穴を形成した場合の効果を示す図である。
図３（Ａ）のように、凹溝や切り欠き等が無い場合は、携帯用チェーン類４が下側ケース部１９と外部機器３０の間に挟まり、外部機器３０に対して、ＳＩＭ用リーダライタ１をぴったりと平面状に置くことができない。
一方、切り欠き６ｋを設けた場合は、携帯用チェーン類４が意識しなくても下側ケース部１９と外部機器３０の間に納まるので、ＳＩＭ用リーダライタ１をぴったりと平面状に置くことができる。取り付け穴１４を屈曲させる場合または斜行させる場合も同様である。
図示してないが、外部機器３０内にも、アンテナが配置されていて、当該アンテナとＳＩＭ用リーダライタのアンテナが平行状態になる場合が通信効率が高くなる。
【００２６】
以上のように、凹溝６ｍまたは切り欠き６ｋ、あるいは屈曲または斜行する取り付け穴１４があることにより、凹溝や切り欠き内に携帯用チェーン類を納めることができ、ＳＩＭ用リーダライタ１を外部機器上に平面状態で接触させて載置し安定した非接触交信状態を保つことができる。
【００２７】
ＳＩＭ用リーダライタ１の上蓋部１８は透明あるいは不透明樹脂で成形し、さらに着色しても良い。透明であれば、ＳＩＭの顔写真加工７やネームプリント８等を視認でき、不透明であれば回路基板を隠せる。下側ケース部１９は不透明樹脂で成型することが多い。
ＳＩＭ用リーダライタ１の外形形状は、幅２０〜２５ｍｍ×全長５０〜７０ｍｍ程度、厚み１５ｍｍ程度以内に形成されていれば、小型であって携帯に便利となる。取り付け穴１４に携帯用チェーン類４を通すと、ＳＩＭの脱落を防止すると共に首やカバンなどに下げて携帯することができる。
【００２８】
ＳＩＭ用リーダライタを成型するプラスチック材料としては、アクリル系樹脂、ポリカーボネート樹脂、ポリプロピレンやポリエチレン等のポリオレフィン系樹脂、ポリスチレン樹脂、塩化ビニル樹脂、等を使用できる。
【００２９】
上記のように、本発明のＳＩＭ用リーダライタについて説明したが、本発明は上記の実施形態に限定されるものでなく、本発明を逸脱しない範囲で自由に設計できる。例えば、ホルダー部１０の平面形状が矩形状である必要はなく長楕円形状や円形状にしても良く、携帯用チェーン類取り付け穴１４の位置なども任意に設定できるものである。
【００３０】
本発明に使用するＳＩＭについて補足して説明することとする。
本発明に使用するＳＩＭは、前述したＳＩＭやＵＩＭカードであって、接触・非接触とＵＳＢ接触の機能を備えるＩＣチップを使用することできる。
従来のＳＩＭは、接触式であって携帯端末の端子間と端子板を介して接触交信のみしているが、本発明に使用するＳＩＭは接触交信だけに限られない。
【００３１】
また、本発明に使用するＳＩＭは、本来の契約者情報やクレジット決済用の個人識別情報などの他に、プリペイドカード機能や交通機関用途等を兼ねる場合には、それらの識別コードや前払い金額、有効期間や区間等の情報を別途に備えることができる。ただし、これらを備えることに限定されるものではない。
あるいは、携帯電話機用途のＳＩＭと兼用する場合には、前記のように、契約者情報や電話帳などのプライベイト情報、クレジット決済用の個人識別情報などを暗号化して登録することもできるものとする。
【００３２】
図４は、本発明のＳＩＭ用リーダライタに使用するＳＩＭの例を示す図である。図４（Ａ）は１０端子の場合、図４（Ｂ）は８端子の場合、図４（Ｃ）は共通の顔写真側を示している。
ＩＣチップが前述の３種機能を有する場合、図４（Ａ）のように１０端子が必要であるが、ＳＩＭ用リーダライタがＵＳＢ変換するためのインターフェース変換ＩＣを有する場合は、接触と非接触の機能のみを有する図４（Ｂ）のような８端子のＳＩＭも使用可能である。
ＳＩＭの接触端子板２２と反対側面には、顔写真加工７やネームプリント８、あるいは番号プリント９を設けることができる。
【００３３】
本発明に使用するＳＩＭは、図４のように、基板２０に接触端子板２２を有し、接触端子板背面にはモジュール化したＩＣチップを搭載している。
ＳＩＭ２は、さらに基板内に埋設されていて接触端子板２２のＩＣチップに接続するアンテナコイル２１を有していても良い。ＳＩＭ用リーダライタがアンテナコイルを有すれば非接触交信できるが、ＳＩＭ２にもアンテナコイルがあれば、通信能力を拡大できるからである。
【００３４】
ＳＩＭ２は、一般的には長辺Ｌ１が、２５ｍｍ程度、短辺Ｌ２が１５ｍｍ程度に形成されている。厚みは１．０ｍｍ以内で、通常は０．７６ｍｍの均一な薄板状のものである。ＳＩＭ２の基板２０も一般のＳＩＭ用リーダライタと同様にプラスチック材料から構成されている。
【００３５】
【発明の効果】
以上のように、本発明のＳＩＭ用リーダライタは、ＳＩＭ挿抜口前部に、ＳＩＭを挿入する際にＳＩＭを一時的に載置するか、あてがうことができる段部を設けているので、ＳＩＭの挿入がきわめて容易である。
また、本発明のＳＩＭ用リーダライタは、下面に携帯用チェーン類を納められる深さの凹溝や切り欠きを設け、あるいは屈曲したまたは斜行した取り付け穴を形成しているので、ＳＩＭを外部機器である非接触交信装置に載置した際にＳＩＭ用リーダライタを平面状態で当該非接触交信装置に接触させることができ、外部機器との安定した交信状態を確保することができる。
【図面の簡単な説明】
【図１】本発明のＳＩＭ用リーダライタの例を示す図である。
【図２】本発明のＳＩＭ用リーダライタの他の実施形態を示す図である。
【図３】凹溝や切り欠き、屈曲または斜行した取り付け穴を形成した場合の効果を示す図である。
【図４】ＳＩＭ用リーダライタに使用するＳＩＭの例を示す図である。
【図５】先行出願に係るＳＩＭホルダーを示す図である。
【符号の説明】
１    ＳＩＭ用リーダライタ、ＳＩＭホルダー
２    ＳＩＭ
３    コネクタ部
４    携帯用チェーン類、鎖紐、ストラップ
５    段部
６ｍ  凹溝
６ｋ  切り欠き
７    顔写真加工
８    ネームプリント
１０    ホルダー部
１１    アンテナコイル
１２    端子板
１３    コンタクトピン
１４    取り付け穴
１５    ＳＩＭ挿抜口
１６    ＳＩＭ取り出し補助スリット
１８    上蓋部
１９    下側ケース部
２０    基板
２１    アンテナコイル
２２    接触端子板
２３    切り欠き
３０    外部機器
【図１】
2004192177.tif 000003
【図２】
2004192177.tif 000004
【図３】
2004192177.tif 000005
【図４】
2004192177.tif 000006
【図５】
2004192177.tif 000007